(57)【要約】【課題】廃棄物を簡易且つ高精度に分別できる分別装置を提供する。【解決手段】分別装置２０は、廃棄物を導入する導入口２１、並びに該廃棄物を排出する袋吸引口２３及び異物排出シュート２２が設けられた筐体部２４と、筐体部２４内において導入口２１と袋吸引口２３との間に設けられ、廃棄物の少なくとも一部をシュート２２側に案内するガイド部材２８と、を備えている。これにより、導入された廃棄物のうちの袋を袋吸引口２３から吸引して排出させることができると共に、廃棄物のうちの異物を、その自重によりシュート２２から排出させる。さらに、吸引力は袋吸引口２３に近づく程を強くなるため、廃棄物の少なくとも一部をガイド部材２８によって袋吸引口２３側に案内することにより、袋と異物とが絡まった状態であっても、確実に袋を袋吸引口２３から排出させる。【選択図】図２
2007167824.tif 000002
【特許請求の範囲】
【請求項１】
廃棄物を分別する分別装置であって、
前記廃棄物を導入する導入口、並びに該廃棄物を排出する第１及び第２の排出口が設けられた筐体部と、
前記筐体部内において前記導入口と前記第１の排出口との間に設けられ、前記廃棄物の一部を前記第１の排出口側に通過させると共に、他の一部を前記第２の排出口側に案内するガイド部材と、
を備えることを特徴とする分別装置。
【請求項２】
前記筐体部は、前記導入口から導入された前記廃棄物を下方に案内する筒状の導入部を有し、
前記導入部には、空気の流れを乱すための乱流部が設けられていることを特徴とする請求項１記載の分別装置。
【請求項３】
前記ガイド部材は、前記導入口から前記第１の排出口に向かう方向と交差する方向に沿って延び、間隙を於いて並設された複数の板材を有することを特徴とする請求項１又は２記載の分別装置。
【請求項４】
前記ガイド部材の前記複数の板材は、前記第２の排出口とは反対側の端部を起点として傾動自在に設けられていることを特徴とする請求項３記載の分別装置。
【請求項５】
前記ガイド部材によって案内された前記廃棄物の他の一部を一時的に貯留させるダンパ部を更に備えていることを特徴とする請求項１〜４のうちのいずれか一項に記載の分別装置。
【請求項６】
前記第２の排出口に接続され、前記筐体部内の空気を吸引する吸引装置を更に備えていることを特徴とする請求項１〜５のうちのいずれか一項に記載の分別装置。
【発明の詳細な説明】
【技術分野】
【０００１】
本発明は、例えば、袋と袋に付着混入したコードやガラス片等の異物とを分別する分別装置に関するものである。
【背景技術】
【０００２】
廃棄物処理施設において、搬入された缶、ビン、ペットボトル等の廃棄物が、ゴミ袋等の袋に詰められた状態で受入され、その袋が破られて内容物と袋とに分別され回収されることがある。この分離された袋の中に、例えばコードやガラス片等の異物が混ざっている場合、回収率が低下しまい、且つ、袋を回収する機器に大きな損傷を与えてしまうため、袋の中から更に異物を除去することが従来から要求されている。
【０００３】
この要求に対して、例えば特許文献１に記載された風力選別装置が知られている。この風力選別装置は、浮遊材と非浮遊材とを受け入れる受入口と、浮遊材を取り出す上部取出口と、エアを噴出する初段吹き出し装置と、初段吹き出し装置と上部取出口との間に設けられたエアを噴出する後段吹き出し装置とを備え、エアで浮遊材を１段又は２段階に吹き上げることにより、浮遊材を非浮遊材から選別している。
【特許文献１】特開２００４−３１３８１９号公報
【発明の開示】
【発明が解決しようとする課題】
【０００４】
しかしながら、上記従来技術では、次のような問題が存在する。すなわち、浮遊材は、エアで１段又は２段階に吹き上げられると共に上部取出口からエア吸引装置に吸引されるため、吹き出すエアと吸引するエアとのバランスを調整することが困難であると共に、このエアのバランス次第で精度良く浮遊材を分別することができない。さらに、エアの噴出及び吸引が同一直線上で行われるため、エアのバランスを調整することが一層困難なものとなる。
【０００５】
そこで、本発明は、このような事情に鑑みてなされたものであり、廃棄物を簡易且つ高精度に分別することができる分別装置を提供することを目的とする。
【課題を解決するための手段】
【０００６】
上記目的を達成するために、本発明に係る分別装置は、廃棄物を分別する分別装置であって、廃棄物を導入する導入口、並びに該廃棄物を排出する第１及び第２の排出口が設けられた筐体部と、筐体部内において導入口と第１の排出口との間に設けられ、廃棄物の一部を第１の排出口側に通過させると共に、他の一部を第２の排出口側に案内するガイド部材と、を備えることを特徴とする。
【０００７】
このような本発明の分別装置によれば、例えば、第２の排出口が吸引装置に接続され、廃棄物が空気と共に第２の排出口から吸引される場合、導入された廃棄物のうちの例えば袋を第２の排出口から吸引して排出させることができると共に、廃棄物のうちの、例えば、ロープ、コード、ガラス片等の異物をガイド部材を通過させて、それらの自重により第１の排出口から排出させることが可能となる。さらに、この場合、吸引力は第２の排出口に近づく程強くなるため、廃棄物の他の一部をガイド部材によって第２の排出口側に案内することにより、例えば袋と異物とが絡まった状態であっても、確実に袋を第２の排出口から排出させることが可能となる。従って、廃棄物を簡易且つ高精度に分別することができる。
【０００８】
また、例えば、第２の排出口に廃棄処理施設の環境設備である集塵装置等を取り付ける場合、分別装置自体を無動力で稼動させることが可能となる。従って、分別装置を小型化且つ低コスト化することが可能となると共に、より様々な設置場所へ適用することができる。
【０００９】
ここで、筐体部は、導入口から導入された廃棄物を下方に案内する筒状の導入部を有し、導入部には、空気の流れを乱すための乱流部が設けられていることが好ましい。これにより、導入部によって筐体内の下方に導入された廃棄物は、乱流部における空気の脈動等の乱れによって攪拌される。そのため、例えば袋と異物とが絡まった状態で導入された場合であっても、袋と異物とを分離させることができる。従って、廃棄物を一層簡易且つ高精度に分別することができる。
【００１０】
また、ガイド部材は、導入口から第１の排出口に向かう方向と交差する方向に沿って延び、間隙を於いて並設された複数の板材を有することが好ましい。これにより、異物をガイド部材における隣接する板材の間から自重により落下させ、第１の排出口から排出させることができるため、上述した廃棄物の一部を第１の排出口側に通過させると共に、他の一部を第２の排出口側に案内するという作用が効果的に発揮される。また、ガイド部材を簡易な構成とすることができる。
【００１１】
また、ガイド部材の複数の板材は、第２の排出口とは反対側の端部を起点として傾動自在に設けられていることが好ましい。これにより、例えば、吸引装置により第２の排出口から吸引する面圧や、廃棄物における異物が混在する程度に応じてガイド部材を傾動させ、好適に廃棄物を第２の排出口側に案内することができる。
【００１２】
また、ガイド部材によって案内された廃棄物の他の一部を一時的に貯留させるダンパ部を更に備えていることが好ましい。この場合、廃棄物が吸引力の強い領域に一時的に貯留されるため、好適に廃棄物を強い吸引力で吸引することが可能となり、廃棄物を一層簡易且つ高精度に分別することができる。
【００１３】
また、第２の排出口に接続され、筐体部内の空気を吸引する吸引装置を更に備えていると、廃棄物のうちの例えば袋を第２の排出口から吸引して排出させることができると共に、廃棄物のうちの例えば異物をその自重により第１の排出口から排出させるという上記作用が効果的に発揮される。
【発明の効果】
【００１４】
本発明によれば、廃棄物を簡易且つ高精度に分別することができる分別装置を提供することができる。
【発明を実施するための最良の形態】
【００１５】
以下、添付図面を参照して、本発明の好適な実施形態について詳細に説明する。なお、図面の説明において同一要素には同一符号を付し、重複する説明は省略する。
【００１６】
図１は、本発明に係る分別装置を含む廃棄物処理システムの概略構成図である。この廃棄物処理システム１は、例えばリサイクルプラザ等の廃棄物処理施設における廃棄物処理システムに採用され、袋詰めされて搬入された内容物を、袋と内容物とに分別して回収するものである。なお、内容物としては、例えば、缶、ビン、ペットボトルが挙げられる。
【００１７】
図１に示されるように、廃棄物処理システム１は、袋詰めされた内容物を受入及び搬送する受入装置２を備えている。この受入装置２は、パッカー車３等によって運び込まれた袋詰め内容物を受け入れて収容する受入れホッパ４を有している。また、受入装置２は、受入れホッパ４に連続されて設けられた搬送コンベア５を有し、この搬送コンベア５により収容された袋詰め内容物が破袋集装置６に搬送される。
【００１８】
破袋集装置６は、袋詰め内容物における袋を破袋及び除袋するものであり、袋詰め内容物を投入する投入口７と、下端に設けられた内容物排出口８及び袋排出口９と、刃付きのベルト式コンベアである破袋コンベア１０と、破袋コンベア１０の上部に所定の隙間を有して配置されたフック状のキャッチャ１１と備えている。この破袋集装置６は、袋詰め内容物を破袋コンベア１０で搬送しながらキャッチャ１１に受け止めることにより袋詰め内容物にせん断力が生じ、このせん断力をもって破袋コンベア１０の刃で袋を引きちぎりつつ、破られた袋を破袋コンベア１０上の刃に絡めると共に内容物を袋から分離する。そして、分離された内容物は、所定の隙間を通過し、その自重により破袋コンベア１０の端部から内容物排出口８に排出されて後段の内容物を回収する内容物ライン１２に送出される。また、刃に絡まった袋は、ベルト１３の移動に伴って刃が破袋コンベア１０の下側に位置したときに、袋の自重により袋排出口９に排出される。
【００１９】
ここで、従来の廃棄物処理システム１においては、破袋集装置６によって除袋された袋は、そのまま袋を排出する袋ライン１４へ送出される。しかしながら、この場合には、袋にはロープ、コード、針金、ガラス片等の異物が多く付着混入されており、これらの回収率が低下してしまい、且つ、袋ライン１４の閉塞、及び機器の破損を引き起こすおそれがある。そこで、本実施形態の廃棄物処理システム１にあっては、破袋集装置６と袋ライン１４との間に、袋及び袋に付着混入した異物（以下、「廃棄物」ともいう。）を袋と異物とに分別する分別装置２０を備えている。
【００２０】
図１及び図２に示されるように、分別装置２０は、廃棄物を導入する導入口２１と、廃棄物のうちの異物を排出する異物排出シュート（第１の排出口）２２と、廃棄物のうちの袋を排出する袋吸引口（第２の排出口）２３とが設けられた筐体部２４を有している。この筐体部２４は、例えば厚さ６ｍｍの圧延鋼材により形成され、その概略寸法は、例えば、縦５００ｍｍ、横１１００ｍｍ、高さ１７００ｍｍとなっている。
【００２１】
筐体部２４の上端には、鉛直方向に開口された導入口２１が設けられ、この導入口２１に、廃棄物を筐体部２４内の下方に案内する筒状の導入部２５が連続して形成されている。一方、筐体部２４の下端には、鉛直方向に開口された異物排出シュート２２が設けられ、この異物排出シュート２２に、廃棄物を案内する筒状の導出部４０が連続して形成されている。なお、異物排出シュート２２は、後段の異物を回収する異物ライン２６に接続されており、排出された異物は、異物ライン２６に送出されることとなる。
【００２２】
筐体部２４における導入部２５と異物排出シュート２２との間の側部には、斜め上方に開口し、廃棄物処理システム１の環境設備である集塵装置（吸引装置）２７と除塵装置１５を介して接続された袋吸引口２３が形成されている。この袋吸引口２３は、集塵装置２７により、空気と共に廃棄物を吸引する。なお、袋吸引口２３を斜め上方に開口させることにより、異物の自重を利用して、異物が袋吸引口２３から排出することを抑制でき、より精度良く、廃棄物のうちの袋を袋吸引口２３から排出することが可能となる。また、廃棄処理施設の環境設備である集塵装置を袋吸引口２３に接続することで、分別装置２０自体を無動力で稼動させることが可能となり、分別装置２０は、小型且つ低コストなものとされると共に、より様々な設置場所へ適用されることができる。ちなみに、吸引される袋はその態様が限定されず、大まかに破れた袋や細切れの袋であってもよく、さらに、袋に限定されず、袋に比重が近い紙等も吸引可能である。
【００２３】
ところで、分別装置２０にあっては、筐体部２４は、その内部における導入口２１と異物排出シュート２２との間にガイド部材２８を有している。このガイド部材２８は、図３に示されるように、例えば６０ｍｍの間隙を於いて並設された、例えば長さ１０００ｍｍの板材２９を複数含み、各板材２９の長手方向に沿った一端面の端部には上板３０が当接され固定され、各板材２９の基端部にはシャフト３１が固定されている。そして、図２に示されるように、ガイド部材２８は、シャフト３１が固定された端部が袋吸引口２３側とは反対側に位置し、且つ、板材２９の長手方向が導入口２１から異物排出シュート２２に向かう方向と交差するようにして、シャフト３１を基点に傾動自在に配置されている。
【００２４】
また、筐体部２４内であって、袋吸引口２３の下方には、ダンパ部材（ダンパ部）３２が設けられている。このダンパ部材３２は、図４に示されるように、平板３３を含み、平板３３の一端部にはシャフト３４が固定されている。そして、図２に示されるように、ダンパ部材３２は、ガイド部材２８との間に隙間３６を有し、且つ、シャフト３４が固定された端部がガイド部材２８とは反対側に位置するようにして、シャフト３４を基点に傾動自在に配置されている。
【００２５】
さらに、筐体部２４は、その導入部２５の内面に、板状の乱流板（乱流部）３５が設けられている。乱流板３５は、その主面が鉛直下方に傾斜した状態で、導入部２５の内面における異なる高さ位置にそれぞれ取り付けられている。また、乱流板３５は、図５に示されるように、導入部２５に取り付けられた状態において、鉛直方向から見て導入部２５の内側四隅に隙間を有するような長手方向の長さとなっている。
【００２６】
以上、このような廃棄物処理システム１においては、図１及び図２に示されるように、袋詰め内容物を受入装置２で受け入れて破袋集装置６に搬送し、破袋集装置６によって袋を破いて袋と内容物とに分離する。分離された袋及び内容物のうちの内容物を内容物ライン１２に送出する一方、袋には異物が多く付着混入されているため、袋及び袋に付着混入した異物は分別装置２０に送出され、以下の分別処理が施される。
【００２７】
まず、集塵装置２７を作動して袋吸引口２３から筐体部２４内の空気を吸引させる。次に、袋及び袋に付着混入した異物である廃棄物を導入口２１を介して筐体部２４に導入し、導入部２５により下方へ案内させる。
【００２８】
このとき、導入部２５に設けられた乱流板３５によって空気に脈動等の乱れが発生され、導入された廃棄物が攪拌される（すなわち、袋がはたつく）ことにより、袋と異物との分離が促進される。これにより、異物の付着の無い袋は、その一部が袋吸引口２３に向かう空気に引かれて直接袋吸引口２３から排出される。一方、異物の付着の無い袋の残り、及び分離された異物は、自重によりガイド部材２８に向かって落下する。そして、サイズの小さい異物はそのままガイド部材２８の板材２９，２９の間を通り抜けて、異物排出シュート２２から排出される。
【００２９】
ガイド部材２８の板材２９にトラップされた、サイズの大きい異物、袋、及び異物が付着したままの袋は、ガイド部材２８により袋吸引口２３側に案内される。そして、袋吸引口２３に向かうに連れて強くなる吸引力により袋と異物との分離が促進され、この分離された袋は既に分離されて板材２９にトラップされた袋と共に、袋吸引口２３に向かって吸引されて排出される。この過程で分離されたサイズの小さい異物は、そのままガイド部材２８の板材２９，２９の間を通り抜けて、異物排出シュート２２から排出される。
【００３０】
そして、残りの案内された廃棄物のうちの異物はガイド部材２８とダンパ部材３２との間の隙間３６から自重により落下して異物排出シュート２２から排出されつつ、袋はダンパ部材３２に貯留されて一層強い吸引力より袋吸引口２３から排出される。
【００３１】
以上説明したように本発明によれば、袋吸引口２３が集塵装置２７に接続され、廃棄物が空気と共に袋吸引口２３から吸引されるため、導入された廃棄物のうちの袋を袋吸引口２３から吸引して排出させることができると共に、廃棄物のうちの例えば袋より比重が大きい異物を、その自重により異物排出シュート２２から排出させることが可能となる。さらに、ガイド部材２８は、導入口２１から異物排出シュート２２に向かう方向と交差する方向に沿って延び、間隙を於いて並設された複数の板材２９を有しているため、廃棄物の一部をガイド部材２８によって袋吸引口２３側に案内しつつ、廃棄物のうちの例えば小さなガラス片等の異物を、ガイド部材２８における隣接する板材２９，２９の間から自重により落下させ、異物排出シュート２２から排出させることができる。ここで、吸引力は袋吸引口２３に近づく程を強くなるため、廃棄物の一部をガイド部材２８によって袋吸引口２３側に案内することにより、袋と異物とが絡まった状態であっても、確実に袋を袋吸引口２３から排出させることが可能となる。従って、廃棄物を簡易且つ高精度に分別することができる。
【００３２】
また、導入部２５には乱流板３５が設けられているため、空気が脈動等して乱れ、導入部２５によって筐体部２４内の下方に導入された廃棄物が攪拌される。そのため、例えば袋と異物とが絡まった状態で導入された場合であっても、袋と異物とを分離させることが可能となり、廃棄物を一層簡易且つ高精度に分別することができる。さらに、乱流板３５は、その主面が鉛直下方に傾斜した状態で、導入部２５の内面における異なる高さ位置にそれぞれ取り付けられており、鉛直方向から見て導入部２５の内側四隅に隙間を有するような長手方向の長さとなっている。これにより、好適に吸引された空気を乱れさせ、廃棄物を攪拌することができる。
【００３３】
また、ガイド部材２８は、複数の板材２９を間隙を於いて並設し、その長手方向を導入口２１から異物排出シュート２２に向かう方向と交差する方向にして設けられているため、廃棄物の一部を袋吸引口２３側に円滑に案内させることが可能である。また、ガイド部材が上述のように設けられることにより、ガイド部材２８を簡易な構成とすることができる。
【００３４】
また、ガイド部材２８の複数の板材２９は、袋吸引口２３とは反対側の端部に固定されたシャフト３１を起点として傾動自在に設けられているため、例えば、袋吸引口２３から吸引する面圧や、廃棄物における異物が混在する程度に応じてガイド部材２８を傾動することが可能となる。従って、例えば、廃棄物に異物が多い場合には、ガイド部材２８を水平になる方向に傾動し、廃棄物をゆっくり案内することにより廃棄物が吸引される時間が長くなるように設定する等して、好適に廃棄物を袋吸引口２３側に案内することができる。
【００３５】
また、ガイド部材２８によって案内された廃棄物の少なとも一部を一時的に貯留させるダンパ部材３２を備えているため、廃棄物が吸引力の強い袋吸引口２３の付近の領域に一時的に貯留されることになる。これにより、好適に廃棄物を強い吸引力で吸引することが可能となり、廃棄物を一層簡易且つ高精度に分別することができる。さらに、ダンパ部材３２は、そのシャフト３４を基点に傾動自在に配置されているため、例えば、廃棄物に異物が多い場合には、ダンパ部材３２をガイド部材２８とダンパ部材３２との隙間３６が広がる方向に傾動し、ダンパ部材３２における廃棄物の貯留量を減らし、より積極的に異物排出シュート２２側に廃棄物を落下させる等して、好適に袋と異物とを分離させることができる。
【００３６】
なお、集塵装置２７により袋吸引口２３から吸引することにより、空気は導入口２１からだけではなく、異物排出シュート２２からも２次空気として吸引される。従って、この２次空気によって、誤って異物排出シュート２２側に落下させてしまった袋を再吸引することができると共に、２次空気がダンパ部材３２等と干渉して乱れることによって、廃棄物を攪拌して分離させることが可能となる。
【００３７】
以上、説明した分別装置２０に関し、袋にロープ、コード、及びガラス片が付着混入されている廃棄物を導入して分別した結果、ロープ及びコードの回収率は１００％、ガラス片の回収率は９８％となり、廃棄物を高精度に分別するという効果を確認することができた。
【００３８】
本発明は、上述した実施形態に限定されるものではない。例えば、上記実施形態では、導入部２５に乱流板３５を設けることにより導入部２５における空気の乱れを発生させているが、例えば、導入部２５にブロアを取り付けて、このブロアから導入部２５に送風することにより空気の乱れを発生させてもよく、導入部２５に空気の乱れを発生させるものを設ればよい。
【００３９】
また、上記実施形態では、袋吸引口２３に廃棄物処理施設の環境設備である集塵装置２７と接続して空気を吸引するが、例えばブロア等を接続して空気を吸引してよく、空気を吸引できる吸引装置を袋吸引口２３に接続すればよい。
【００４０】
また、上記実施形態では、袋吸引口２３を斜め上方に開口しているが、上方や側方に開口してもよい。
【００４１】
さらにまた、上記実施形態では、破袋集装置６に破袋コンベア１０がベルト式である回転刃式のものを用いているが、破袋機としては、圧縮型、回転型、熱溶断型等の種々の破袋集装置を適用させることが可能である。
【図面の簡単な説明】
【００４２】
【図１】本発明の一実施形態に係る分別装置を含む廃棄物回収システムの概略図である。
【図２】図１に示した分別装置を示す正面断面図である。
【図３】図１に示した分別装置のガイド部材を示す斜視図である。
【図４】図１に示した分別装置のダンパ部材を示す斜視図である。
【図５】図１に示した分別装置を示す上面図である。
【符号の説明】
【００４３】
２０…分別装置、２１…導入口、２２…異物排出シュート（第１の排出口）、２３…袋吸引口（第２の排出口）、２４…筐体部、２５…導入部、２７…集塵装置（吸引装置）、２８…ガイド部材、２９…板材、３２…ダンパ部材（ダンパ部）、３５…乱流板（乱流部）。
【図１】
2007167824.tif 000003
【図２】
2007167824.tif 000004
【図３】
2007167824.tif 000005
【図４】
2007167824.tif 000006
【図５】
2007167824.tif 000007